Podtech/llm-jp-corpus-v4-ja_patent huggingface dataset:
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
回転体の回転を検出する回転検出手段と、
前記回転体の所定面への押下を検出する押下検出手段と、
前記回転検出手段により検出された前記回転体の回転に応じて、複数の分類の中から所定の分類を選択するとともに、前記押下検出手段により検出された結果に応じて、前記所定の分類に属する所定の入力対象を選択する選択手段と
を備えることを特徴とする携帯情報端末。
【請求項２】
前記複数の分類のそれぞれを表す画像を環状に配置して表示する表示制御手段をさらに備え、
前記選択手段は、前記表示制御手段により環状に配置された前記画像により表される分類の中から、前記所定の分類を選択する
ことを特徴とする請求項１に記載の携帯情報端末。
【請求項３】
前記表示制御手段は、前記回転検出手段により検出された前記回転体の回転に応じて、分類を表す環状の前記画像の表示を前記環に沿って移動させる
ことを特徴とする請求項２に記載の携帯情報端末。
【請求項４】
前記選択手段により選択された前記所定の入力対象としての所定の文字の変換が指示されたとき、前記文字の変換候補の一覧を表示する変換候補表示手段をさらに備える
ことを特徴とする請求項１に記載の携帯情報端末。
【請求項５】
前記選択手段により前記所定の入力対象としての所定の文字が選択されることに応じて、前記文字の読みをその先頭の読みとする所定の単語の一覧を表示する単語表示手段をさらに備える
ことを特徴とする請求項１に記載の携帯情報端末。
【請求項６】
ほぼ円盤状の回転体の回転を検出する回転検出手段と、
前記回転体の回転の軸を支点とする、前記回転体の上面への押下を検出する押下検出手段と、
前記回転検出手段により検出された前記回転体の回転に応じて、複数の分類の中から所定の分類を選択するとともに、前記押下検出手段により検出された結果に応じて、前記所定の分類に属する所定の入力対象を選択する選択手段と
を備えることを特徴とする携帯情報端末。
【請求項７】
回転体の回転を検出する回転検出手段と、
前記回転体の所定面への押下を検出する押下検出手段と
を備える携帯情報端末を制御するコンピュータにより実行されるプログラムであって、
前記回転検出手段により検出された前記回転体の回転に応じて、複数の分類の中から所定の分類を選択するとともに、前記押下検出手段により検出された結果に応じて、前記所定の分類に属する所定の入力対象を選択する選択ステップを含む
ことを特徴とするプログラム。
【手続補正２】
【補正対象書類名】明細書
【補正対象項目名】０００７
【補正方法】変更
【補正の内容】
【０００７】
【課題を解決するための手段】
本発明の第１の携帯情報端末は、回転体の回転を検出する回転検出手段と、回転体の所定面への押下を検出する押下検出手段と、回転検出手段により検出された回転体の回転に応じて、複数の分類の中から所定の分類を選択するとともに、押下検出手段により検出された結果に応じて、所定の分類に属する所定の入力対象を選択する選択手段とを備えることを特徴とする。
【手続補正３】
【補正対象書類名】明細書
【補正対象項目名】００１１
【補正方法】変更
【補正の内容】
【００１１】
選択手段により所定の入力対象としての所定の文字が選択されることに応じて、文字の読みをその先頭の読みとする所定の単語の一覧を表示する単語表示手段をさらに備えるようにすることができる。
本発明の第２の携帯情報端末は、ほぼ円盤状の回転体の回転を検出する回転検出手段と、回転体の回転の軸を支点とする、回転体の上面への押下を検出する押下検出手段と、回転検出手段により検出された回転体の回転に応じて、複数の分類の中から所定の分類を選択するとともに、押下検出手段により検出された結果に応じて、所定の分類に属する所定の入力対象を選択する選択手段とを備えることを特徴とする。
【手続補正４】
【補正対象書類名】明細書
【補正対象項目名】００１２
【補正方法】変更
【補正の内容】
【００１２】
本発明のプログラムは、回転体の回転を検出する回転検出手段と、回転体の所定面への押下を検出する押下検出手段とを備える携帯情報端末を制御するコンピュータにより実行されるプログラムであって、回転検出手段により検出された回転体の回転に応じて、複数の分類の中から所定の分類を選択するとともに、押下検出手段により検出された結果に応じて、所定の分類に属する所定の入力対象を選択する選択ステップを含むことを特徴とする。
【手続補正５】
【補正対象書類名】明細書
【補正対象項目名】００１３
【補正方法】変更
【補正の内容】
【００１３】
本発明の携帯情報端末およびプログラムにおいては、回転体の回転が検出され、回転体の所定面への押下が検出される。また、回転体の回転に応じて、複数の分類の中から所定の分類が選択されるとともに、結果に応じて、所定の分類に属する所定の入力対象が選択される。
【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
複数のディスクアレイ装置間を結合網にて結合し構成したクラスタ構成をとるクラスタ型ディスクアレイ装置であって、クラスタ間を結合している結合網に対し論理的分割が設定されることによって、クラスタ間通信の可否が上記複数のディスクアレイ装置を動作させたまま、変更可能にしてなるクラスタ型ディスクアレイ装置。
【請求項２】
上記結合網に対する論理的分割は、上記ディスクアレイ装置上で動作している制御プログラムから設定される請求項１記載のクラスタ型ディスクアレイ装置。
【請求項３】
上記結合網に対する論理的分割は、付属のコンソールから設定される請求項１記載のクラスタ型ディスクアレイ装置。
【請求項４】
複数のディスクアレイ装置間を結合網にて結合し構成したクラスタ構成をとるクラスタ型ディスクアレイ装置の運用方法であって、結合網に対し論理的分割が設定されることによって、クラスタを分割した上、分割されたクラスタ各々は相異なるユーザに割当てされた状態として、運用されるようにしたクラスタ型ディスクアレイ装置の運用方法。
【請求項５】
複数のディスクアレイ装置間を結合網にて結合し構成したクラスタ構成をとるクラスタ型ディスクアレイ装置であって、クラスタ間を結合している結合網に対する論理的分割が付属のコンソールから設定されることで、２台以上のクラスタ型ディスクアレイ装置として動作可能にしてなるクラスタ型ディスクアレイ装置。
【請求項６】
ディスクアレイ装置各々にディスクデータの読出しをキャッシュするためのキャッシュ記憶装置と該ディスクアレイ装置での制御情報が格納される共有記憶装置を含み、上記ディスクアレイ装置間を結合網にて結合し構成したクラスタ構成をとるクラスタ型ディスクアレイ装置であって、クラスタ間を結合している結合網に対し論理的分割が設定されることによって、キャッシュ記憶装置間のパスが分離される一方、共有記憶装置の少なくとも１部分に対する通信が引き続き可能としてなるクラスタ型ディスクアレイ装置。
【請求項７】
複数のディスクアレイ装置間を結合網にて結合し構成したクラスタ構成をとるクラスタ型ディスクアレイ装置であって、
前記ディスクアレイ装置の各々は、
外部のホストとの接続を受け持つホスト制御装置と、
ディスク群を管理・アクセスするディスク制御装置と、
前記ディスク制御装置に接続されたディスクアレイと、
前記ホストからのディスクデータの読出しをキャッシュするキャッシュ記憶装置と、
前記キャッシュ記憶装置およびシステム全体を管理するための情報が格納される共有記憶装置と、
から構成され、
前記ディスクアレイ装置の各々には、それぞれのディスクアレイ装置番号が付けられており、
前記複数のディスクアレイ装置は、個々に独立して前記ホストからのアクセスが処理される構成であり、
前記結合網は、論理的分割が設定されており、前記クラスタ型ディスクアレイ装置を動作中に論理的に分割した上、分割されたクラスタ各々を相異なるユーザに割当てた状態として運用させ、かつ前記論理的分割は、前記結合網に対するソフトウェアの指示によって、所定の番号のディスクアレイ装置を切離すように指定することにより実現され、
前記複数のディスクアレイ装置で構成されている前記クラスタ型ディスクアレイ装置から、所定の番号のディスクアレイ装置を切離す場合、
システムを切断準備モードに切替え、
前記ホストからの要求がないことを確認の上、前記結合網に対して、前記論理的分割が設定され、
前記論理的分割の設定により、前記結合網上で前記所定の番号のディスクアレイ装置を切離す旨の論理的分割モードへの切替えが行われることで、前記切離されるディスクアレイ装置と他のディスクアレイ装置との間のデータ転送は行われないように構成され、
前記論理的分割時には、前記ホストからの要求は、一旦、保留され、
その後、前記切断準備モードは解除され、この切断準備モードの解除により、それまで保留状態におかれていた要求に対する処理が行われたり、通常リクエストに対する処理が行われる
クラスタ型ディスクアレイ装置。
【請求項８】
複数のディスクアレイ装置間を結合網にて結合し構成したクラスタ構成をとるクラスタ型ディスクアレイ装置の運用方法であって、
前記ディスクアレイ装置の各々に、それぞれのディスクアレイ装置番号を付け、
前記複数のディスクアレイ装置は、個々に独立してホストからのアクセスを処理し、
前記結合網は、論理的分割が設定されており、前記クラスタ型ディスクアレイ装置を動作中に論理的に分割した上、分割されたクラスタ各々を相異なるユーザに割当てた状態として運用させ、かつ前記論理的分割は、前記結合網に対するソフトウェアの指示によって、所定の番号のディスクアレイ装置を切離すように指定することにより実現し、
前記複数のディスクアレイ装置で構成されている前記クラスタ型ディスクアレイ装置から、所定の番号のディスクアレイ装置を切離す場合、
システムを切断準備モードに切替え、
前記ホストからの要求がないことを確認の上、前記結合網に対して、前記論理的分割を設定し、
前記論理的分割の設定により、前記結合網上で前記所定の番号のディスクアレイ装置を切離す旨の論理的分割モードへの切替えが行われることで、前記切離されるディスクアレイ装置と他のディスクアレイ装置との間のデータ転送は行われないようにし、
前記論理的分割時には、前記ホストからの要求は、一旦、保留し、
その後、前記切断準備モードを解除し、この切断準備モードの解除により、それまで保留状態におかれていた要求に対する処理を行い、通常リクエストに対する処理を行う
クラスタ型ディスクアレイ装置の運用方法。
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
ディスクとディスクへの入出力を制御する記憶制御装置とを有する記憶装置と、
前記記憶装置に格納されるファイルデータの格納場所、及びアクセス状態を管理する管理情報を保持する管理サーバと、
ネットワークを介して計算機より第１のプロトコルでファイルデータのアクセス要求を受け付け、前記管理情報に基づいて前記計算機からアクセス要求に応じ、第２のプロトコルで前記記憶装置へのアクセスを行うサーバ装置とを有することを特徴とするシステム。
【請求項２】
前記第１のプロトコルは、ネットワークファイルアクセスプロトコルであって、
前記第２のプロトコルは、ブロックデバイスプロトコルであることを特徴とする請求項１記載のシステム。
【請求項３】
前記ブロックデバイスプロトコルとしてｉＳＣＳＩを用いたことを特徴とする請求項２記載のシステム。
【請求項４】
前記サーバ装置と、前記記憶装置とは、セキュリティ保護装置を介して接続されることを特徴とする請求項２記載のシステム。
【請求項５】
データを記憶する第１の記憶装置と、
データを記憶する第２の記憶装置と、
前記第１の記憶装置とローカルに接続され、前記第２の記憶装置と広域網を介して接続され、ローカルなネットワークを介して計算機よりファイルデータのアクセス要求を受け付け、該アクセス要求によりアクセスすべきデータが前記第１及び第２の記憶装置のいずれに格納されているかを判別し、該判別の結果に応じて前記第１の記憶装置、または前記第２の記憶装置へのアクセスを行うサーバ装置とを有するシステム。
【請求項６】
前記サーバ装置と接続され、前記第２の記憶装置に格納されるデータの格納位置、及びアクセス状態を管理するための情報を保持する管理計算機を有することを特徴とする請求項５記載のシステム。
【請求項７】
前記サーバ装置は、前記第２の記憶装置に格納されたデータにアクセスする際、前記管理計算機にアクセス要求を発行し、該アクセス要求に対する応答に基づいて前記第２の記憶装置をアクセスすることを特徴とする請求項６記載のシステム。
【請求項８】
前記サーバ装置は、セキュリティ保護装置を介して前記第２の記憶装置と接続
されることを特徴とする請求項５記載のシステム。
【請求項９】
前記サーバ装置を複数備え、前記第２の記憶装置には、該複数のサーバ装置により共用されるデータが格納されることを特徴とする請求項６記載のシステム。
【請求項１０】
データを記憶する記憶装置と、
前記記憶装置と接続され、ローカルなネットワークを介して計算機よりネットワークファイルプロトコルを用いたファイルデータへのアクセス要求を受け付け、該アクセス要求に応答して、前記記憶装置に格納されたファイルデータをブロックデバイスプロトコルを用いてアクセスするサーバ装置とを有することを特徴とするシステム。
【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
予め商品情報が記憶された電子タグを用いた商品の販売を管理する販売管理システムにおいて、
前記商品の販売情報を管理するためのサーバと、
前記電子タグが付された購入対象商品が投入され購入対象商品を運搬する買い物カートと、
前記買い物カートに備えられ、前記電子タグと前記サーバとの間で商品情報の送受信を非接触で行なうクライアントと、
前記買い物カートに備えられ、前記受信された前記商品情報を表示する表示装置と、
購入対象商品を前記買い物カートから出し入れした情報と対象商品の個別情報を記憶する記憶装置を具備することを特徴とする販売管理システム。
【請求項２】
前記クライアントは、前記電子タグに記録されている商品情報を非接触で受信する送受信器と、前記送受信器によって受信した商品情報を基に買い物カート内の全商品の売価を集計する集計手段と、前記集計手段によって集計した合計売価を前記買い物カートに設けた表示装置に表示させる表示出力手段と、買い物カート内の全商品の一覧を表示する前記表示出力手段と、前記受信した商品情報と前記合計売価とを非接触でサーバに送信する送受信器とから成ることを特徴とする請求項１記載の販売管理システム。
【請求項３】
前記クライアントの集計手段は、対象商品の売価情報を一括して、または商品の売場単位または売場グループ単位で前記サーバから受信し、買い物カート内に投入された商品の売価を集計することを特徴とする請求項２に記載の販売管理システム。
【請求項４】
前記電子タグに記録されている商品情報を非接触で受信する送受信器が受信する動作を行う契機は、前記買い物カートの買い物籠が載せられ接触する部分に加重センサが配設され、前記加重センサが購入対象商品を買い物籠に投入或いは取り出された際の加重の変化を検知した時を契機とすることを特徴とした請求項１〜３記載のいずれかの送受信機を具備するクライアントを特徴とする販売管理システム。
【請求項５】
請求項４記載のクライアントにおいて、購入対象商品を投入する場合と、取り出す場合とでその区別が付くような異なる音を発することを特徴とする販売管理システム。
【請求項６】
前記クライアントにおいて、金額を入力できる入力装置を具備し、顧客によって入力設定された金額を超える商品を買い物カートに投入し、電子タグの商品情報を受信し、その時点で設定金額を超過している場合、金額超過の旨を顧客に伝えるべく、表示装置に警告等を表示し、音源より音を発して、顧客に伝える機能と、入力された金額を取り消し、または再設定する機能とを具備することを特徴とした請求項５に記載の販売管理システム。
【請求項７】
予め商品情報が記録された電子タグを用いた商品の販売を管理する為に、前記商品の販売情報を管理するためのサーバと、前記電子タグが付された購入対象商品が投入され運搬する買い物カートと、前記買い物カートに備えられ前記電子タグと前記サーバとの間で商品情報の送受信を非接触で行なうクライアントと、前記買い物カートに備えられ前記受信された前記商品情報を表示する表示装置を備えた販売管理システムのクライアントにおいて、前記購入対象商品を買い物カートから出し入れした情報と対象商品の個別情報を記憶する記憶装置を具備することを特徴とするクライアント。
【請求項８】
前記クライアントは、前記電子タグに記録されている商品情報を非接触で受信する送受信器と、前記送受信器によって受信した商品情報を基に買い物カート内の全商品の売価を集計する集計手段と、前記集計手段によって集計した合計売価を前記買い物カートに設けた表示装置に表示させる表示出力手段と、買い物カート内の全商品の一覧を表示する前記表示出力手段と、前記受信した商品情報と前記合計売価とを非接触でサーバに送信する送受信器とから成ることを特徴とする請求項７の記載のクライアント。
【請求項９】
前記クライアントの集計手段は、対象商品の売価情報を一括して、または商品の売場単位または売場グループ単位で前記サーバから受信し、買い物カート内に投入された商品の売価を集計することを特徴とする請求項８に記載のクライアント。
【請求項１０】
前記クライアントに具備する音源装置であって、請求項９記載の契機で電子タグの商品情報を受信する受信動作時に音を発することを特徴とするクライアント。
【請求項１１】
請求項１０記載のクライアントにおいて、購入対象商品を投入する場合と、取り出す場合とでその区別が付くような異なる音を発することを特徴とするクライアント。
【請求項１２】
前記クライアントにおいて、金額を入力できる入力装置を具備し、顧客によって入力設定された金額を超える商品を買い物カートに投入し、電子タグの商品情報を受信し、その時点で設定金額を超過している場合、金額超過の旨を顧客に伝えるべく、表示装置に警告等を表示し、音源より音を発して、顧客に伝える機能と、入力された金額を取り消し、または再設定する機能とを具備することを特徴としたクライアント。
【請求項１３】
上記入力装置は電卓の機能を具備することを特徴とする請求項１２記載のクライアント。
【請求項１４】
予め商品情報が記録された電子タグを用いた商品の販売を管理するため、前記商品の販売情報を管理するためのサーバと、前記電子タグが付された購入対象商品を投入して運搬する買い物カートと、前記買い物カートに備えられ前記電子タグと前記サーバとの間で商品情報の送受信を非接触で行なうクライアントと、前記買い物カートに備えられ前記受信された前記商品情報を表示する表示装置を備えた販売管理システムの買い物カートにおいて、購入対象商品を買い物カートから出し入れした情報と対象商品の個別情報を記憶する記憶装置を具備することを特徴とする買い物カート。
【請求項１５】
前記買い物カートのキャスタ部分に発電機と充電池を具備し、クライアントの動作のための電力の一部、或いは全てを充電された電力から供給することを特徴とする請求項１４記載の買い物カート。
【請求項１６】
前記予め商品情報が記録された電子タグを用いた商品の販売情報を管理するためのサーバと、前記商品を投入して運搬する買い物カートと、前記買い物カートに配設され前記電子タグと前記サーバとの間で商品情報の送受信を非接触で行なうクライアントとを備えた販売管理システムのサーバにおいて、購入対象商品を買い物カートから出し入れした情報と対象商品の個別情報を記憶する記憶装置を具備することを特徴とするサーバ。
【請求項１７】
前記サーバは、前記電子タグに記録されている商品情報を非接触で受信する送受信器と、前記送受信器によって受信した商品情報を基に買い物カート内の全商品の売価を集計する集計手段とを備えていることを特徴とする請求項１６記載のサーバ。
【請求項１８】
前記サーバの集計手段は、対象商品の売価情報を一括して、または商品の売場単位または売場グループ単位で記憶する記憶手段と、買い物カート内に投入された商品の売価を前記記憶手段の売価情報に基づいて集計することを特徴とする請求項１７に記載のサーバ。
【請求項１９】
前記買い物カートの買い物籠が載せられ接触する部分に加重センサが配設され、前記加重センサが購入対象商品を買い物籠に投入或いは取り出された際の加重の変化を検知した場合、集計を行うことを特徴とした請求項１８記載のサーバ。
【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
画像を解析して、該画像内の複数の関心領域を識別するように構成されたイメージプロセッサを特徴とし、該イメージプロセッサは、ユーザがイメージセレクタを操作して、ズームターゲットとして前記関心領域のうちの１つを選択することができるように、前記解析の結果を前記ユーザに提示する、電子画像処理装置。
【請求項２】
前記ユーザによる前記ズームターゲットのズームイン、またはズームアウトを可能にするズーム制御器をさらに備える、請求項１に記載の電子画像処理装置。
【請求項３】
前記イメージプロセッサは、前記ズームが変更されると、前記画像を自動的にパンして、前記選択された関心領域を、ディスプレイに表示される前記画像の部分内に維持する、請求項２に記載の電子画像処理装置。
【請求項４】
ユーザが選択したズームレベルについて、前記イメージプロセッサは、前記選択された関心領域の近傍をサーチし、かかる領域が存在する場合、所与のズーム量について表示される関心領域の数を最適化するように前記画像をパンする、請求項２または３に記載の電子画像処理装置。
【請求項５】
表示可能な関心領域全体の数は最大化される、請求項３または４に記載の電子画像処理装置。
【請求項６】
前記イメージプロセッサは、部分的に表示される関心領域の数を最小化しようとする、請求項５に記載の電子画像処理装置。
【請求項７】
前記イメージプロセッサは、前記画像内の非重複関心領域を識別する、請求項１から６のいずれか一項に記載の電子画像処理装置。
【請求項８】
前記イメージプロセッサは、前記関心領域を比較し、個々の関心領域を共にグループ化して、合成関心領域を形成すべきかどうかを判断する、請求項１から７のいずれか一項に記載の電子画像処理装置。
【請求項９】
前記イメージプロセッサは、前記関心領域についてクロッピング境界を計算するようにさらに構成され、各クロッピングは、画像合成の少なくとも１つの規則に従う、請求項１から８のいずれか一項に記載の電子画像処理装置。
【請求項１０】
前記画像の解析は、前記画像のいずれのビューについても前記ユーザにより呼び出され、前記イメージプロセッサにさらなる関心領域を識別させることが可能である、請求項１から９のいずれか一項に記載の電子画像処理装置。
【請求項１１】
前記イメージプロセッサは、関心等級を前記関心領域それぞれに割り当てる、請求項１から１０のいずれか一項に記載の電子画像処理装置。
【請求項１２】
前記関心領域は、前記関心等級に従って表示選択される、請求項１１に記載の電子画像処理装置。
【請求項１３】
前記イメージプロセッサは、前記関心領域についてクロッピングビューを計算し、該クロッピングビューのそれぞれに品質等級を割り当てる、請求項１から１２のいずれか一項に記載の電子画像処理装置。
【請求項１４】
前記イメージセレクタに応答して、前記イメージプロセッサは、前記品質等級に従って前記ビューを順次選択する、請求項１３に記載の電子画像処理装置。
【請求項１５】
前記イメージセレクタは、前記イメージプロセッサに無線接続される、請求項１から１４のいずれか一項に記載の電子画像処理装置。
【請求項１６】
請求項１から１５のいずれか一項に記載の電子画像処理装置と、該画像処理装置に応答するディスプレイと、を備える、電子画像を取り込む電子カメラシステム。
【請求項１７】
イメージプロセッサと、ズームターゲットを識別するためのユーザ操作可能な入力装置と、ユーザ操作可能なズーム制御器と、を備え、前記イメージプロセッサは、画像を自動的に解析して、少なくとも１つの関心領域を識別し、前記解析の結果はユーザに提示され、これによって前記ユーザが、ズームターゲットとして１つの関心領域を選択し、前記ズーム制御器を介してズームレベルを制御することができる、デジタル画像を表示する電子装置。
【請求項１８】
画像を解析して、該画像内の複数の関心領域を選択するステップを備えることを特徴とする方法であって、ユーザが、ユーザ選択ズームに関係なく表示されたまま残るズームターゲットとして前記関心領域のうちの１つを選択することができるように、前記解析の結果が前記ユーザに提示される、電子画像を表示する方法。
【請求項１９】
各関心領域についてクロッピング境界が計算され、前記ユーザは、ズームなしと、表示されている前記クロッピング境界内の前記画像全体によって制限されるレベルと、の間でズームを変更することができる、請求項１８に記載の方法。
【請求項２０】
前記イメージプロセッサは、前記画像内の非重複関心領域を識別する、請求項１９に記載の方法。
【請求項２１】
前記イメージプロセッサは、前記関心領域を比較し、個々の関心領域を共にグループ化して、合成関心領域を形成すべきかどうかを判断する、請求項１９または２０に記載の方法。
【請求項２２】
前記クロッピング境界が計算され、前記クロッピング境界は、画像合成の少なくとも１つの規則に従う、請求項１８から２１のいずれか一項に記載の方法。
【請求項２３】
前記画像の解析は、前記画像のいずれのビューについても前記ユーザにより呼び出され、前記イメージプロセッサにさらなる関心領域を識別させることが可能である、請求項１８から２２のいずれか一項に記載の方法。
【請求項２４】
各関心領域の関心レベルを評価し、該関心レベルを示す各関心領域に等級を割り当てるステップをさらに含む、請求項１８から２３のいずれか一項に記載の方法。
【請求項２５】
前記領域は、前記関心領域選択信号に応答して、前記割り当てられた等級の順に順次表示される、請求項２４に記載の方法。
【請求項２６】
任意の所与のズームレベルについて、前記イメージプロセッサは、表示される関心領域全体の数が最大化されるように前記画像をパンする、請求項１８から２５のいずれか一項に記載の方法。
【請求項２７】
画像を自動的に解析して、少なくとも１つの関心領域および関連するクロッピング境界を識別するステップを含む方法であって、前記解析の結果は、ユーザが前記ズームターゲットとして１つの関心領域を選択し、ズーム制御器を介してズームレベルを制御することができるように、前記ユーザに提示される、電子画像を表示する方法。
【請求項２８】
前記画像は、前記ズームレベルが変更されると、前記ズームターゲットが表示されたまま残るように、自動的にパンされる、請求項２７に記載の方法。
【請求項２９】
前記イメージプロセッサは、前記選択された関心領域以外の関心領域についてサーチし、前記ズームレベルで可能であれば、これら領域を、表示される画像に含めるようにする、請求項２７または２８に記載の方法。
【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】
衛星や航空機などの高度飛翔体から地表を撮影した観測画像を処理装置により解析し、土地区画データを作成する方法であって、
記憶装置に格納された前記観測画像を読出し、該観測画像のエッジを抽出するエッジ抽出処理ステップと、抽出した画像に対して、画像上の１点から放射状に伸ばした複数の直線とエッジとの交点を求め、それらの交点を連結することによって画像上の矩形領域を抽出する矩形領域抽出処理ステップと、抽出された矩形領域の選別および修正を行う調整処理ステップとを含むことを特徴とする土地区画データ作成方法。
【請求項２】
前記エッジ抽出処理ステップにおけるエッジ抽出処理を、キャ二ィ法を用いて実施することを特徴とする請求項１に記載の土地区画データ作成方法。
【請求項３】
前記エッジ抽出処理ステップにおけるエッジ抽出処理を、ソーベルフィルタを用いたフィルタリング処理法を用いて実施することを特徴とする請求項１に記載の土地区画データ作成方法。
【請求項４】
前記エッジ抽出処理ステップにおけるエッジ抽出処理が、抽出したエッジの連結画素数を調査し、直線成分の小さな短いエッジを除去する小エッジ処理を含むことを特徴とする請求項１〜３のいずれか一項に記載の土地区画データ作成方法。
【請求項５】
前記エッジ抽出処理ステップにおけるエッジ抽出処理が、抽出および調査したエッジを強調する処理を含むことを特徴とする請求項４に記載の土地区画データ作成方法。
【請求項６】
前記調整処理ステップが、抽出した矩形領域の面積をチェックし、予め定めた面積より小さな微小矩形矩形領域のデータを削除する処理を含むことを特徴とする請求項１〜５のいずれか一項に記載の土地区画データ作成方法。
【請求項７】
前記調整処理ステップが、抽出した矩形領域の各頂点における角度をチェックし、予め定めた内角より小さな鋭角が含まれる矩形領域については当該鋭角の頂点を削除して矩形領域の形状を整形する処理を含むことを特徴とする請求項１〜６のいずれか一項に記載の土地区画データ作成方法。
【請求項８】
前記調整処理ステップが、抽出した矩形領域の形状を予め設定された土地矩形パターンと照合し、土地形状として不自然な矩形領域のデータを削除する処理を含むことを特徴とする請求項１〜７のいずれか一項に記載の土地区画データ作成方法。
【請求項９】
前記調整処理ステップが、土地区画であるかどうかの判断が難しい矩形領域を表示し、ユーザからの指定に応じて、矩形領域の削除や修正を行う処理を含むことを特徴とする請求項１〜８のいずれか一項に記載の土地区画データ作成方法。
【請求項１０】
矩形領域抽出処理ステップが、画像上の任意の１点から放射状に伸ばした複数の直線とエッジとの交点を求め、それらの交点を連結することによって画像上の矩形領域を抽出する１次抽出処理と、抽出した矩形領域内の中心位置を求め、その中心位置から放射状に伸ばした複数の直線とエッジとの交点を求め、それらの交点を連結することによって画像上の矩形領域を抽出する２次抽出処理とを含むことを特徴とする請求項１〜９のいずれか一項に記載の土地区画データ作成方法。
【請求項１１】
衛星や航空機などの高度飛翔体から地表を撮影した観測画像を解析し、土地区画データを作成する装置であって、
記憶装置に格納された前記観測画像を読出し、該観測画像のエッジを抽出するエッジ抽出処理手段と、抽出した画像に対して、画像上の１点から放射状に伸ばした複数の直線とエッジとの交点を求め、それらの交点を連結することによって画像上の矩形領域を抽出する矩形領域抽出処理手段と、抽出された矩形領域の選別および修正を行う調整処理手段とを備えることを特徴とする土地区画データ作成装置。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
複数の入力操作キー郡を備えた情報装置の表示方法であって、
入力操作画面に、特定の操作をするための操作キー郡または操作キーと拡大操作キーを表示し、この拡大操作キーの操作にともなって、各操作キー郡または操作キーを拡大表示するとともに、各操作キー郡または操作キーの間の長さを短縮して各操作キー郡または操作キーを密集表示させることを特徴とする情報装置の拡大表示方法。
【請求項２】
複数の入力操作キー郡を備えた情報装置の表示方法であって、
所定の操作を受け付けて、所定の表示画面の位置に特定の操作をするための操作キー郡または操作キーと拡大操作キーを備えた第１の入力操作画面を表示し、
前記拡大操作キーの操作を受け付けて、各操作キー郡または操作キーを拡大表示するとともに、各操作キー郡または操作キーの間の長さを短縮して各操作キー郡または操作キーを密集表示させる第２の入力操作画面を表示し、
前記操作キー郡または操作キーの操作を受け付けて、当該操作キー郡または操作キーに割り当てられた操作を実行させることを特徴とする情報装置の拡大表示方法。
【請求項３】
前記拡大操作キーは、拡大表示にともなって縮小操作キーとして操作を割り付け、この縮小操作キーの操作を受け付けてもとの入力操作画面に戻すことを特徴とする請求項１または２記載の情報装置の拡大表示方法。
【請求項４】
前記第１の入力操作画面は、その中央にテンキーが配置され、その周囲に、前記テンキーで入力された内容を実行する決定キーと、前記テンキーで入力された内容を訂正する訂正キーと、前記拡大キーとを少なくとも備え、
前記第２の入力操作画面は、前記拡大操作に基づいて、各操作キーが前記テンキーの周囲に密集するように、前記第１の入力操作画面から徐々に変化して移行することを特徴とする請求項２記載の情報装置の拡大表示方法。
【手続補正書】
【提出日】平成16年9月1日(2004.9.1)
【手続補正１】
【補正対象書類名】明細書
【補正対象項目名】０００３
【補正方法】変更
【補正の内容】
【０００３】
具体的には、ジョグダイアルの回転角度により、表示部に表示されているデジタルオーディオ波形の移動量が変化し、ジョグダイアルの回転方向により、表示部に表示されているデジタルオーディオ波形の移動方向が変化するようになっている。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
臨床検査用分析装置が接続されるコンピュータにインストールされて前記臨床検査用分析装置を制御する制御プログラムの管理方法であって、
前記制御プログラムを起動する前に、臨床検査用分析装置を識別するための装置識別情報を取得する装置識別情報取得ステップと、
前記取得された装置識別情報に基づいて認証パスワードを生成する生成ステップと、
前記制御プログラムを起動する前に、パスワードの入力を要求する要求ステップと、
前記要求ステップでの要求に応じて入力された入力パスワードを取得するパスワード取得ステップと、
前記生成ステップで生成した認証パスワードと前記入力パスワードとが一致するか否かを判断し、両者が一致する場合は前記制御プログラムの起動を実行する認証ステップと、を含む制御プログラムの管理方法。
【請求項２】
前記認証ステップで前記認証パスワードと一致した入力パスワードを記憶するパスワード記憶ステップを含み、入力パスワードに替えて、前記パスワード記憶ステップで記憶したパスワードを用いて前記認証ステップを実行することを特徴とする、請求項１に記載の制御プログラムの管理方法。
【請求項３】
予めコンピュータに装置識別情報を記憶させる装置識別情報記憶ステップをさらに含み、前記装置識別情報取得ステップでは前記装置識別情報記憶ステップにより記憶された装置識別情報を取得することを特徴とする、請求項１に記載の制御プログラムの管理方法。
【請求項４】
前記装置識別情報取得ステップでは、コンピュータとコンピュータに接続されている臨床検査用分析装置との間で通信を行うことによって、臨床検査用分析装置から装置識別情報を取得することを特徴とする、請求項１に記載の制御プログラムの管理方法。
【請求項５】
臨床検査用分析装置が接続されるコンピュータにインストールされて前記臨床検査用分析装置を制御する制御プログラムを管理するための管理プログラムを記録したコンピュータ読み取り可能な記録媒体であって、
前記制御プログラムを起動する前に、臨床検査用分析装置を識別するための装置識別情報を取得する装置識別情報取得ステップと、
前記取得された装置識別情報に基づいて認証パスワードを生成する生成ステップと、
前記制御プログラムを起動する前に、前記コンピュータの操作者に対してパスワードの入力を要求する要求ステップと、
前記要求ステップでの要求に応じて入力された入力パスワードを取得するパスワード取得ステップと、
前記生成ステップで生成した認証パスワードと前記入力パスワードとが一致するか否かを判断し、両者が一致する場合は前記制御プログラムの起動を実行する認証ステップと、を実行するための管理プログラムを記録したコンピュータ読み取り可能な記録媒体。
【請求項６】
臨床検査用分析装置が接続されるコンピュータにインストールされて前記臨床検査用分析装置を制御する制御プログラムを管理するための管理プログラムであって、
前記制御プログラムを起動する前に、臨床検査用分析装置を識別するための装置識別情報を取得する装置識別情報取得手段と、
前記取得された装置識別情報に基づいて認証パスワードを生成する生成手段と、
前記制御プログラムを起動する前に、前記コンピュータの操作者に対してパスワードの入力を要求する要求手段と、
前記要求ステップでの要求に応じて入力された入力パスワードを取得するパスワード取得手段と、
前記生成ステップで生成した認証パスワードと前記入力パスワードとが一致するか否かを判断し、両者が一致する場合は前記制御プログラムの起動を実行する認証手段と、として前記コンピュータを機能させる管理プログラム。
【請求項７】
臨床検査用分析装置が接続されるコンピュータにインストールされて前記臨床検査用分析装置を制御する制御プログラムの管理方法であって、
前記制御プログラムをインストールする前に、臨床検査用分析装置を識別するための装置識別情報を取得する装置識別情報取得ステップと、
前記取得された装置識別情報に基づいて認証パスワードを生成する生成ステップと、
前記制御プログラムをインストールする前に、パスワードの入力を要求する要求ステップと、
前記要求ステップでの要求に応じて入力された入力パスワードを取得するパスワード取得ステップと、
前記生成ステップで生成した認証パスワードと前記入力パスワードとが一致するか否かを判断し、両者が一致する場合は前記制御プログラムのインストールを実行する認証ステップと、を含む制御プログラムの管理方法。
【請求項８】
臨床検査用分析装置が接続されるコンピュータにインストールされて前記臨床検査用分析装置を制御する制御プログラムを管理するための管理プログラムを記録したコンピュータ読み取り可能な記録媒体であって、
前記制御プログラムをインストールする前に、臨床検査用分析装置を識別するための装置識別情報を取得する装置識別情報取得ステップと、
前記取得された装置識別情報に基づいて認証パスワードを生成する生成ステップと、
前記制御プログラムをインストールする前に、前記コンピュータの操作者に対してパスワードの入力を要求する要求ステップと、
前記要求ステップでの要求に応じて入力された入力パスワードを取得するパスワード取得ステップと、
前記生成ステップで生成した認証パスワードと前記入力パスワードとが一致するか否かを判断し、両者が一致する場合は前記制御プログラムのインストールを実行する認証ステップと、を実行するための管理プログラムを記録したコンピュータ読み取り可能な記録媒体。
【請求項９】
臨床検査用分析装置が接続されるコンピュータにインストールされて前記臨床検査用分析装置を制御する制御プログラムを管理するための管理プログラムであって、
前記制御プログラムをインストールする前に、臨床検査用分析装置を識別するための装置識別情報を取得する装置識別情報取得手段と、
前記取得された装置識別情報に基づいて認証パスワードを生成する生成手段と、
前記制御プログラムをインストールする前に、前記コンピュータの操作者に対してパスワードの入力を要求する要求手段と、
前記要求ステップでの要求に応じて入力された入力パスワードを取得するパスワード取得手段と、
前記生成ステップで生成した認証パスワードと前記入力パスワードとが一致するか否かを判断し、両者が一致する場合は前記制御プログラムのインストールを実行する認証手段と、として前記コンピュータを機能させる管理プログラム。
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】
複数の光感応素子を配列し、前記各光感応素子で光量に応じて蓄積された電化を転送出力することで映像信号を生成する複数画素の撮像手段と、
前記映像信号をディジタルデータに変換するアナログ／ディジタル変換手段と、
前記撮像手段への入射光を遮蔽するシャッタと、
設定された露光時間だけ前記シャッタを開き、それ以外は前記シャッタを閉じて光遮蔽状態とするシャッタ制御手段と、
前記シャッタが開かれている状態での前記撮像手段による撮像データと、前記光遮蔽状態における前記露光時間に相当する分の前記撮像手段からの黒レベル基準データとを、前記画素単位で記憶する記憶手段と、
前記黒レベル基準データに含まれる白キズを検出し、その位置を保存する白キズ検出手段と、
前記撮像データと前記黒レベル基準データとの差分処理を前記画素単位で行い、前記撮像データから暗電流成分を除去した中間補正画像を生成する暗電流補正手段と、
前記保存された白キズの位置を参照して、前記中間補正画像に含まれる前記白キズに対して補間処理を施すことで最終補正画像を生成する白キズ補間手段とを具備することを特徴とする撮像装置。
【請求項２】
前記白キズ検出手段は、前記黒レベル基準データの強度レベルと予め設定されたしきい値レベルとの比較を画素ごとに行い、このしきい値レベルを超える強度レベルを有する画素を白キズとして検出することを特徴とする請求項１に記載の撮像装置。
【請求項３】
複数の光感応素子を配列し、前記各光感応素子で光量に応じて蓄積された電化を転送出力することで映像信号を生成する複数画素の撮像手段を有する撮像装置における撮像方法において、
前記撮像手段に対し、設定された露光時間だけ入射光を与える第１のステップと、
前記入射光が与えられている状態での前記撮像手段による撮像データを取得すると共に、前記撮像手段への入射光を遮蔽した状態における前記露光時間に相当する分の前記撮像手段からの黒レベル基準データを取得する第２のステップと、
前記黒レベル基準データに含まれる白キズを検出し、その位置を保存する第３のステップと、
前記撮像データと前記黒レベル基準データとの差分処理を前記画素単位で行い、前記撮像データから暗電流成分を除去した中間補正画像を生成する第４のステップと、
前記第３のステップで保存された白キズの位置を参照して、前記中間補正画像に含まれる前記白キズに対して補間処理を施すことで最終補正画像を生成する第５のステップとを具備することを特徴とする撮像方法。
【請求項４】
前記第３のステップは、前記黒レベル基準データの強度レベルと、予め設定されたしきい値レベルとの比較を画素ごとに行い、このしきい値レベルを超える強度レベルを有する画素を白キズとして検出するステップであることを特徴とする請求項３に記載の撮像方法。
【請求項５】
複数の光感応素子を配列し、前記各光感応素子で光量に応じて蓄積された電化を転送出力することで映像信号を生成する複数画素の撮像手段と、
前記映像信号をディジタルデータに変換するアナログ／ディジタル変換手段と、
前記撮像手段への入射光を遮蔽するシャッタと、
設定された露光時間だけ前記シャッタを開き、それ以外は前記シャッタを閉じて光遮蔽状態とするシャッタ制御手段と、
前記シャッタが開かれている状態での前記撮像手段による撮像データと、前記光遮蔽状態における前記露光時間に相当する分の前記撮像手段からの黒レベル基準データとを、前記画素単位で記憶する記憶手段と、
前記撮像データと前記黒レベル基準データとの差分処理を前記画素単位で行い、前記撮像データから暗電流成分を除去した補正画像を生成する暗電流補正手段とを具備することを特徴とする撮像装置。
【請求項６】
複数の光感応素子を配列し、前記各光感応素子で光量に応じて蓄積された電化を転送出力することで映像信号を生成する複数画素の撮像手段と、
前記映像信号をディジタルデータに変換するアナログ／ディジタル変換手段と、
前記撮像手段への入射光を遮蔽するシャッタと、
設定された露光時間だけ前記シャッタを開き、それ以外は前記シャッタを閉じて光遮蔽状態とするシャッタ制御手段と、
前記シャッタが開かれている状態での前記撮像手段による撮像データと、前記光遮蔽状態における前記露光時間に相当する分の前記撮像手段からの黒レベル基準データとを、前記画素単位で記憶する記憶手段と、
前記黒レベル基準データに含まれる白キズを検出し、その位置を保存する白キズ検出手段と、
前記撮像データと前記黒レベル基準データとの差分処理を前記画素単位で行うことにより生成される中間補正画像に含まれる白キズに対して、前記保存された白キズの位置を参照して補間処理を施すことで最終補正画像を生成する白キズ補間手段とを具備することを特徴とする撮像装置。
【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
回転電機内に水素ガスを供給する水素ガス供給ラインと、不活性ガスを供給する不活性ガス供給ラインと、空気を供給する空気供給ラインと、機内のガスを大気中へ放出する放出ラインと、前記各ラインに挿入された自動弁と、機内のガス圧力を検知する圧力検出器と、前記放出ライン中のガス濃度を検出するガス濃度検出器と、前記圧力検出器及びガス濃度検出器からの信号を入力し、前記各ラインに設けた自動弁を開閉制御する制御信号を発生する制御器とを備えたことを特徴とする回転電機の冷却用水素ガス置換装置。
【請求項２】
回転電機内に水素ガスを供給する水素ガス供給ラインと、不活性ガスを供給する不活性ガス供給ラインと、空気を供給する空気供給ラインと、機内のガスを大気中へ放出する放出ラインと、前記各ラインに挿入された自動弁と、大気温度を検知する検知器と、置換作業の経過時間を計るタイマーと、大気温度と置換作業の経過時間を検知し前記各ラインに設けた自動弁を開閉制御する制御信号を発生する制御器とを備えたことを特徴とする回転電機の冷却用水素ガス置換装置。
【手続補正２】
【補正対象書類名】明細書
【補正対象項目名】０００７
【補正方法】変更
【補正の内容】
【０００７】
【課題を解決するための手段】
上記目的は、回転電機内に水素ガスを供給するラインと、不活性ガスを供給するラインと、空気を供給するラインと、回転電機内のガスを大気へ放出するラインと、前記それぞれのラインに設けられた自動弁と大気放出ラインに設けられ、ガスの圧力とガスの濃度を検出する検知器と、前記検出器からの信号に応じて、前記自動弁を制御する制御信号を発生する制御盤とを備える事により達成される。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  主走査方向に所定のピッチで光電変換素子が複数個配列され、かつ前記各光電変換素子の前記主走査方向幅が前記ピッチの半分以下であるセンサーＩＣを前記主走査方向に複数個、直線状に配置したセンサーＩＣ列を２列有し、前記各センサーＩＣ列は、前記主走査方向に前記ピッチの半分の奇数倍互いにずらして配置され、かつ、前記各センサーＩＣ列は副走査方向の光電変換素子間隔が前記ピッチの半分の自然数倍の間隔で配置されることを特徴とするマルチチップ型イメージセンサー。
【請求項２】  請求項１に記載のマルチチップ型イメージセンサーにおいて、読み取り方向を反転させる機能を有する前記センサーＩＣを用いてセンサーアレイを形成し、前記２列のセンサーＩＣ列において夫々読み取り方向を反転させたことを特徴とするマルチチップ型イメージセンサー。
【請求項３】  請求項１に記載のマルチチップ型イメージセンサーにおいて、前記２列のセンサーＩＣ列において夫々読み取り方向が反対である２種類の前記センサーＩＣを用いてセンサーアレイを形成し、前記２列のセンサーＩＣ列の読み取り方向を互いに反転させたことを特徴とするマルチチップ型イメージセンサー。
【請求項４】  複数の光電変換素子を具備するチップを複数個直列に配置したマルチチップを有するラインセンサーを用いた画像読み取り装置において、
前記ラインセンサーを少なくとも２列隣接して設け、前記各ラインセンサーは、所定のピッチで前記各光電変換素子を主走査方向に配列し、かつ前記各光電変換素子の前記主走査方向幅が前記ピッチの半分以下であり、
前記ラインセンサーと隣接するラインセンサーの各光電変換素子は、互いに前記主走査方向に前記ピッチの半分の奇数倍互いにずらして配置され、かつ、前記各ラインセンサーは副走査方向の光電変換素子間隔が前記ピッチの半分の自然数倍の間隔で配置されていることを特徴とする画像読み取り装置。
【請求項５】  請求項４に記載の画像読み取り装置において、前記２列のラインセンサーの夫々の読み取り方向が反対であり、前記２列のラインセンサーの一方に読み取り方向を反転させるラインバッファメモリーを備えたことを特徴とする画像読み取り装置。
【請求項６】  請求項４に記載の画像読み取り装置において、前記２列のラインセンサーの読み取り方向を同一とし、前記ラインセンサーの一方に双方向シフトレジスタを用いて、前記各ラインセンサーの読み出し信号をスイッチ切り換えで合成することを特徴とする画像読み取り装置。
【手続補正２】
【補正対象書類名】明細書
【補正対象項目名】００１１
【補正方法】変更
【補正の内容】
【００１１】
【課題を解決するための手段】
本発明によるマルチチップ型イメージセンサーは、主走査方向に所定のピッチで光電変換素子が複数個配列され、かつ前記各光電変換素子の前記主走査方向幅が前記ピッチの半分以下であるセンサーＩＣを前記主走査方向に複数個、直線状に配置したセンサーＩＣ列を２列有し、前記各センサーＩＣ列は、前記主走査方向に前記ピッチの半分の奇数倍互いにずらして配置され、かつ、前記各センサーＩＣ列は副走査方向の光電変換素子間隔が前記ピッチの半分の自然数倍の間隔で配置されることを特徴としている。
【手続補正３】
【補正対象書類名】明細書
【補正対象項目名】００１２
【補正方法】変更
【補正の内容】
【００１２】
また、本発明は、複数の光電変換素子を具備するチップを複数個直列に配置したマルチチップを有するラインセンサーを用いた画像読み取り装置において、前記ラインセンサーを少なくとも２列隣接して設け、前記各ラインセンサーは、所定のピッチで前記各光電変換素子を主走査方向に配列し、かつ前記各光電変換素子の前記主走査方向幅が前記ピッチの半分以下であり、前記ラインセンサーと隣接するラインセンサーの各光電変換素子は、互いに前記主走査方向に前記ピッチの半分の奇数倍互いにずらして配置され、かつ、前記各ラインセンサーは副走査方向の光電変換素子間隔が前記ピッチの半分の自然数倍の間隔で配置されていることを特徴とする。
【手続補正書】
【提出日】平成16年11月17日(2004.11.17)
【手続補正１】
【補正対象書類名】明細書
【補正対象項目名】請求項２
【補正方法】変更
【補正の内容】
【請求項２】
前記情報蓄積部に記憶されている情報は画像情報そのものであることを特徴とする請求項１記載の画像蓄積装置。
【手続補正２】
【補正対象書類名】明細書
【補正対象項目名】請求項１２
【補正方法】変更
【補正の内容】
【請求項１２】
前記履歴記憶部に記憶されている交信履歴には、前記通信部を介して他の画像蓄積装置から前記情報蓄積部の情報を受信した記録が含まれることを特徴とする請求項１から１１のいずれか記載の画像蓄積装置。
【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】サービス選択方法、プログラムおよびシステム
【手続補正２】
【補正対象書類名】明細書
【補正対象項目名】特許請求の範囲
【補正方法】変更
【補正の内容】
【特許請求の範囲】
【請求項１】
サーバにおけるサービス選択方法であって、
前記サーバは、文書の登録要求を受け付け、
予め記憶装置に格納された複数のサービスの属性情報を読み出し、
前記文書の属性情報と前記複数のサービスの属性情報に基づいて、前記文書の属性情報と前記複数のサービスとの合致度をそれぞれ算出し、
前記合致度に基づいて前記文書を管理するサービスを選択することを特徴とするサービス選択方法。
【請求項２】
前記複数のサービスにおける管理費用を、前記文書の属性情報と前記複数のサービスの属性情報に基づいてそれぞれ算出し、
前記合致度及び前記算出した複数のサービスにおける管理費用とに基づいて前記文書を管理するサービスを選択することを特徴とする請求項１に記載のサービス選択方法。
【請求項３】
前記複数のサービスにおける管理費用を、前記文書の属性情報と前記複数のサービスの属性情報に基づいてそれぞれ算出し、
前記合致度及び前記算出した複数のサービスにおける管理費用とに基づいて総合評価を算出し、
当該総合評価を通知することを特徴とする請求項１に記載のサービス選択方法。
【請求項４】
前記通知された総合評価に基づいて選択されたサービスの通知を受け付けることを特徴とする請求項３におけるサービス選択方法。
【請求項５】
サービス選択プログラムであって、
文書の登録要求を受け付け、
予め記憶装置に格納された複数のサービスの属性情報を読み出し、
前記文書の属性情報と前記複数のサービスの属性情報に基づいて、前記文書の属性情報と前記複数のサービスとの合致度をそれぞれ算出し、
前記合致度に基づいて前記文書を管理するサービスを選択することを特徴とするサービス選択プログラム。
【請求項６】
サービス選択システムであって、
文書の登録要求を受け付ける手段と、
予め記憶装置に格納された複数のサービスの属性情報を読み出す手段と、
前記文書の属性情報と前記複数のサービスの属性情報に基づいて、前記文書の属性情報と前記複数のサービスとの合致度をそれぞれ算出する手段と、
前記合致度に基づいて前記文書を管理するサービスを選択する手段とを含むことを特徴とするサービス選択システム。